(57)【要約】【課題】  タッチパネルによる入力操作を行うときに、操作部を目視しなくても、操作が受け付けられるのか否かを容易に確認することができる車載用音響装置を提供する。【解決手段】  タッチパネル８に当接する物体の当接点が当接した状態で移動したときの移動方向を検出するタッチパネル８および制御部７によって検出し、検出した移動方向に対応させて、複数のスピーカＳＰから出力される音響情報の音像を移動させるとともに、制御部７によって移動方向に対応する予め定める処理を実行する。【選択図】      図１
2010171553.tif 000002
【特許請求の範囲】
【請求項１】
音源からの音響情報を再生して、車室内で相互に間隔をあけて設けられる複数のスピーカから音響情報を出力させる車載用音響装置であって、
タッチパネルと、
前記タッチパネルに当接する物体の当接点が当接した状態で移動したときの移動方向を検出する検出部と、
前記検出部によって検出した移動方向に対応させて、複数の前記スピーカから出力される音響情報の音像を移動させるとともに、前記移動方向に対応する予め定める処理を実行する制御部とを備えることを特徴とする車載用音響装置。
【請求項２】
発光部をさらに備え、
前記制御部は、前記検出部によって検出した移動方向に対応させて、前記発光部の発光状態を変化させることを特徴とする請求項１に記載の車載用音響装置。
【請求項３】
前記移動方向に対応させて、複数の前記スピーカから出力される音響情報の音像を移動させるパターンが予め設定されるパターンテーブルを記憶する記憶部をさらに備え、
前記制御部は、前記記憶部に記憶される前記パターンテーブルを用いて、複数の前記スピーカから出力される音響情報の音像を移動させることを特徴とする請求項１または２に記載の車載用音響装置。
【請求項４】
前記移動方向に対応させて、発光部の発光を変化させるパターンが予め設定されるパターンテーブルを記憶している記憶部をさらに備え、
前記制御部は、前記記憶部に記憶される前記パターンテーブルを用いて、前記発光部の発光状態を変化させることを特徴とする請求項２に記載の車載用音響装置。
【請求項５】
前記制御部は、複数の前記スピーカから出力される音響情報の音像を移動させるときに、前記音源からの音響情報とともに、この音源情報とは異なる音響情報であって、予め定める音響情報を、前記音源からの音響情報の音像の移動に応じて変化させて出力することを特徴とする請求項１〜３のいずれか１つに記載の車載用音響装置。
【請求項６】
前記制御部は、前記スピーカから出力される音響情報の種類に応じて、前記発光部の発光色を変化させることを特徴とする請求項２または４に記載の車載用音響装置。
【請求項７】
前記スピーカから出力される音響情報の種類と、前記発光部の発光色とを対応させたパターンテーブルを記憶している発光色記憶部を備え、
前記制御部は、前記発光色記憶部に記憶される前記パターンテーブルを用いて、前記発光部の発光色を変化させることを特徴とする請求項６に記載の車載用音響装置。
【請求項８】
前記発光色記憶部に記憶されるスピーカから出力される音響情報の種類と、前記発光部の発光色とを対応させたパターンテーブルを変更可能な変更手段を備えることを特徴とする請求項７に記載の車載用音響装置。
【発明の詳細な説明】
【技術分野】
【０００１】
本発明は、車両に設けられ音響情報を再生する車載用音響装置に関する。
【背景技術】
【０００２】
従来の技術として、タッチパネル付画像表示装置に、音楽のボリューム調整画面として、表示パネルに複数個のスポットが列を成したバーが複数本放射状に配置されたオブジェクトを表示しておき、このオブジェクト上で右回りに円を描くようなタッチパネル操作が行われると、ボリュームをアップさせ、左回りに円を描くようなタッチパネル操作が行われると、ボリュームをダウンさせる再生装置がある（たとえば特許文献１参照）。
【先行技術文献】
【特許文献】
【０００３】
【特許文献１】特開２００６−４２１７０号公報
【発明の概要】
【発明が解決しようとする課題】
【０００４】
前述した再生装置では、操作にあわせてオブジェクトが回転するので、このオブジェクトを目視することによって操作が受け付けられたことを確認することができるが、再生装置の利用者が操作する部分を目視してないとその確認をすることができないという問題がある。
【０００５】
したがって本発明の目的は、タッチパネルによる入力操作を行うときに、操作部を目視しなくても、操作が受け付けられるのか否かを容易に確認することができる車載用音響装置を提供することである。
【課題を解決するための手段】
【０００６】
本発明（１）は、音源からの音響情報を再生して、車室内で相互に間隔をあけて設けら
れる複数のスピーカから音響情報を出力させる車載用音響装置であって、
タッチパネルと、
前記タッチパネルに当接する物体の当接点が当接した状態で移動したときの移動方向を検出する検出部と、
前記検出部によって検出した移動方向に対応させて、複数の前記スピーカから出力される音響情報の音像を移動させる制御部とを備えることを特徴とする車載用音響装置である。
【発明の効果】
【０００７】
本発明（１）によれば、ユーザが手指をタッチパネルに接触させて移動させると、検出部によってその移動方向が検出され、制御部は検出された移動方向に対応させて、複数のスピーカから出力される音響情報の音像を移動させるとともに、移動方向に対応する予め定める処理を実行するので、ユーザは、操作する部分を目視しなくても、音響情報の音像の移動によって、ユーザの操作が受け付けられるのか否かを容易に確認することができる。
【図面の簡単な説明】
【０００８】
【図１】本発明の実施の一形態の車載用音響装置１の構成を示す図である。
【図２】車載用音響装置１が搭載される車両の室内２を示す図である。
【図３】制御部７の動作処理を示すフローチャートである。
【発明を実施するための形態】
【０００９】
図１は、本発明の実施の一形態の車載用音響装置１の構成を示す図である。図２は、車載用音響装置１が搭載される車両の室内２を示す図である。車載用音響装置１には、複数のスピーカＳＰと、発光部３とが接続されている。ここでは車両の室内２には、４つのスピーカＳＰが設けられている。４つのスピーカＳＰは、フロント左チャンネルスピーカＦＬ（以下、スピーカＦＬという）と、フロント右チャンネルスピーカＦＲ（以下、スピーカＦＲという）と、リア左チャンネルスピーカＲＬ（以下、スピーカＲＬという）と、リア右チャンネルスピーカＲＲ（以下、スピーカＲＲという）とである。スピーカＦＬは、車両の室内２内の前方左側、たとえば左側前ドアに設置されている。スピーカＦＲは、車両の室内２内の前方右側、たとえば右側前ドアに設置されている。スピーカＲＬは、車両の室内２内の後方左側、たとえば左側後ドアに設置されている。スピーカＲＲは、車両の室内２内の後方右側、たとえば右側後ドアに設置されている。
【００１０】
発光部３は、たとえばＬＥＤ（Light Emitting Diode）が配列されて構成されるＬＥＤアレイまたは液晶表示装置などによって実現されている。ＬＥＤアレイの場合は、たとえば複数のＬＥＤが行列状に複数列並べられて構成されている。また液晶表示装置の場合には、表示領域をマトリクス状に複数の領域に分割して、複数の領域のいずれか１つを順番に残余の領域よりも明るくなるように、後述する制御部７によって表示させることができる構成となっている。
【００１１】
発光部３は、車両の運転者が運転席に着座した状態で目視しやすい位置に設けられ、たとえば、ダッシュボード、天井、フロントガラスおよび計器メータパネルの少なくともいずれかに設けられている。図２では、発光部３が計器パネルに設けられている場合について示している。発光部３は、その発光面上で相互に直交する２つの方向のうちの一方を横方向とし、発光面上で幅方向に直交する方向を縦方向とする。また横方向および上下方向を横切る方向を斜め方向とする。計器パネルに設けられている発光部３は、前記横方向が車両の幅方向に略平行になり、縦方向の一端部が他端部よりも上方となる位置に傾斜させて設けられている。
【００１２】
車載用音響装置１は、音源４と、フェーダ回路５と、スピーカＳＰの数と同数の増幅器６と、制御部７と、タッチパネル８と、表示パネル９とを備えている。
【００１３】
音源４は、音響情報を出力する音源であって、たとえばＣＤ（Compact Disc）プレーヤ、ＤＶＤ（Digital Versatile Disc）プレーヤ、ハードディスクプレーヤなどによって構成されている。音源４は、制御部７からの指令に応じて、ＣＤ、ＤＶＤまたはハードディスクなどの記録媒体から、音響情報である音響データを読取って、音響データに含まれるステレオの左右チャンネル信号をフェーダ回路５に出力する。
【００１４】
フェーダ回路５は、音源４からの左右チャンネル信号を、車両に搭載される複数のスピーカに分配するとともに、各スピーカから出力される音量を調整する機能を備えている。フェーダ回路５は、制御部７からの制御信号に応じて、各スピーカから出力される音量を調整する。フェーダ回路５は、たとえばラダー抵抗、またはスイッチングトランジスタなどを含んで構成され、制御部７から与えられる制御端子への制御信号に応じて、スイッチングトランジスタの接断状態が切り換わり、抵抗値が制御される電子ボリウムなどを含んで構成されている。
【００１５】
フェーダ回路５からの出力信号は、複数の増幅器６に与えられる。増幅器６は、各スピーカＳＰに個別に対応して設けられている。スピーカＦＬに接続される増幅器６を増幅器６ａと記載し、スピーカＦＲに接続される増幅器６を増幅器６ｂと記載し、スピーカＲＬに接続される増幅器６を増幅器６ｃと記載し、スピーカＲＲに接続される増幅器６を増幅器６ｄと記載する。増幅器６ａ〜６ｄは、それぞれ与えられた信号を増幅して、接続されるスピーカＦＬ，ＦＲ，ＲＬ，ＲＲに与える。これによって、各スピーカＦＬ，ＦＲ，ＲＬ，ＲＲから音響情報が音響として出力再生される。
【００１６】
車載用音響装置１は、インダッシュボードに設けられている。タッチパネル８および表示パネル９は、車載用音響装置１の筐体に設けられている。表示パネル９は、制御部７からの制御信号に応じて、再生中の音響情報に関する情報の表示、トラック番号の表示などを行う。タッチパネル８は、表示パネル９の表示画面上に設けられている。タッチパネル８は、略矩形状に形成されており、その寸法は手指の幅の２倍以上に形成されおり、たとえば４インチ以上に形成されている。タッチパネル８は、制御部７に接続されて、検出した情報を制御部７に与える。タッチパネル８のユーザが接触する接触面上で相互に直交に延びる２つの方向のうち一方を横方向とし、他方を縦方向とする。縦方向は、上下方向ということもある。表示パネル９の表示画面上に設けられているタッチパネル８は、前記横方向が車両の幅方向に略平行になり、使用状態で、縦方向の一端部が他端部よりも上方となる位置に傾斜させて設けられている。
【００１７】
制御部７は、マイクロコンピュータを含んで構成されており、タッチパネル８によって検出される情報に応じて、音源４、フェーダ回路５、表示パネル９および発光部３の各部を制御する。制御部７を構成するマイクロコンピュータは、演算処理部（ＣＰＵ）と、前記各部の制御に必要なプログラムおよびデータを記憶する記憶部とを備えている。前記記憶部は、不揮発性記録媒体によって実現され、たとえばフラッシュＲＯＭなどによって実現される。
【００１８】
制御部７は、タッチパネル８から与えられる情報に基づいて、タッチパネルに当接する物体の当接点が当接した状態で移動したときの移動方向を検出する。タッチパネル８からは、タッチパネルは、該タッチパネルに当接する物体の、タッチパネル上での位置情報を制御部７に与える。制御部７は、タッチパネル上に設定している予め定める直交２軸の座標軸上で、前記位置情報が移動する向きおよび移動量を検出して、タッチパネルに当接する物体の当接点が当接した状態で移動したときの移動方向を検出する。ここで移動量も検出しているのは、移動量が予め定める移動量以上のときに移動方向を特定するためである。これによってタッチパネル８にユーザが不所望に接触したときに生じる誤操作を抑制することができる。
【００１９】
制御部７の記憶部は、この制御部７が検出する移動方向に対応させて、複数のスピーカＳＰから出力される音響情報の音像を移動させるパターン（以下、音の移動パターンという）が予め設定されるパターンテーブルを記憶している。また制御部７の記憶部は、制御部７が検出する移動方向に対応させて、発光部３の発光を変化させるパターン（以下、光の移動パターンという）が予め設定されるパターンテーブルを記憶している。また制御部７の記憶部は、制御部７が検出する移動方向に対応する実行処理に関する情報についても記憶している。
【００２０】
表１は、音の移動パターンおよび光の移動パターンが予め設定されている前記パターンテーブルを示す。
【００２１】
【表１】
2010171553.tif 000003
【００２２】
表１では、たとえば検出方向が横方向であれば、制御部７は、フェーダ回路５および発光部３を制御して、音を左右に移動させ、また光を左右に移動させて、再生処理を実行する。再生処理とは、音源に制御指令を与えて音響データを読取らせて、音響データを出力させる処理である。ここで、検出方向が左から右であれば、音を左から右に移動させ、光を左から右に移動させる。たとえば、音を左から右に移動させるときには、まずスピーカＦＲ，ＲＲから出力される音量をスピーカＦＬ，ＲＬから出力される音量よりも相対的に小さくしておき、スピーカＦＬ，ＲＬから出力される音量よりもスピーカＦＲ，ＲＲから出力される音量が相対的に小さくなくように、スピーカＦＲ，ＲＲから出力される音量を徐々に大きくし、スピーカＦＬ，ＲＬから出力される音量を徐々に小さくすることである。これによって、運転席に着座しているユーザは、スピーカＳＰからの音が左から右に移動したと認識することができる。また光を左から右に移動させるときは、発光部３の左側から右側に向かって順番に発光する位置を移動させる。
【００２３】
またたとえば検出方向が縦方向であれば、制御部７は、フェーダ回路５および発光部３を制御して、音を前後に移動させ、また光を左右に移動させて、再生処理を実行する。停止処理とは、音源に制御指令を与えて音響データの再生を停止させることである。ここで、検出方向が上から下であれば、音を前から後に移動させ、光を上から下に移動させる。音を上から下に移動させるとは、まずスピーカＲＬ，ＲＲから出力される音量をスピーカＦＬ，ＦＲから出力される音量よりも相対的に小さくしておき、スピーカＦＬ，ＦＲから出力される音量よりもスピーカＲＬ，ＲＲから出力される音量が相対的に小さくなくように、スピーカＲＬ，ＲＲから出力される音量を徐々に大きくし、ＦＬ，ＦＲから出力される音量を徐々に小さくすることである。これによって、運転席に着座しているユーザは、スピーカＳＰからの音が前から後に移動したと認識することができる。換言すると、このような処理によって、音の移動や音像の移動を実現することができる。
【００２４】
その他の、斜め方向、円周方向および８の字方向については、横方向および縦方向の場合と同様であり、スピーカＦＬ，ＦＲ，ＲＬ，ＲＲのうち、２つのスピーカＳＰ、あるいは４つのスピーカＳＰの音量を、制御部７が表１に示す順番で相対的に変化させるので、説明を省略する。
【００２５】
表１では、たとえば左右方向を検出したとき、右から左への移動を検出したときと、左から右への移動方向を検出したときとは、どちらも実行処理として再生を行うが、右から左への移動を検出したときと、左から右への移動方向を検出したときとで、他の処理を対応させて、異なる処理を実行させてもよい。縦方向、斜め方向、円周方向および８の字方向の場合についても、それぞれ検出の向きが異なる場合には、それぞれ異なる処理を実行させてもよい。
【００２６】
図３は、制御部７の動作処理を示すフローチャートである。車両のアクセサリスイッチをＯＮにするか、あるいは車載用音響装置１の電源を投入すると、ステップＳ１に移る。ステップＳ１では、操作があったか否か、すなわちタッチパネル８によって物体を検出したか否かを判断する。ステップＳ１で操作されたと判断すると、ステップＳ２に移り、操作されていないと判断すると、ステップＳ２に移り、以下のステップＳ２〜Ｓ６で、操作方向、すなわちタッチパネル８が検出した情報から検出方向を判断する。
【００２７】
ステップＳ２では、横方向の操作が行われたか否かを判断し、横方向の操作が行われたと判断すればステップＳ７に移り、行われていないと判断すればステップＳ３に移る。
【００２８】
ステップＳ３では、縦方向の操作が行われたか否かを判断し、縦方向の操作が行われたと判断すればステップＳ７に移り、行われていないと判断すればステップＳ４に移る。
【００２９】
ステップＳ４では、斜め方向の操作が行われたか否かを判断し、斜め方向の操作が行われたと判断すればステップＳ７に移り、行われていないと判断すればステップＳ５に移る。
【００３０】
ステップＳ５では、円周方向の操作が行われたか否かを判断し、円周方向の操作が行われたと判断すればステップＳ７に移り、行われていないと判断すればステップＳ６に移る。
【００３１】
ステップＳ６では、８の字方向の操作が行われたか否かを判断し、８の字方向の操作が行われたと判断すればステップＳ７に移り、行われていないと判断すればステップＳ１に移る。
【００３２】
ステップＳ７では、制御部７は、記憶部に記憶されている前述した表１に示すパターンテーブルを用い、ステップＳ２〜ステップＳ６のいずれかにおいて検出した結果を前記パターンテーブルに照らし合わせて、発音位置と発光位置とを移動させて、ステップＳ８に移り、検出結果に対応する処理を実行して、ステップＳ１に移る。
【００３３】
以上のように車載用音響装置１によれば、ユーザのタッチパネルの操作に対応させて、複数のスピーカＳＰから出力される音像を移動させることによって、ユーザはタッチパネル８を目視しなくても、音響情報の音像の移動によって、ユーザの操作が受け付けられるのか否かを容易に確認することができる。特に車両を運転中の運転者が、車載用音響装置１を操作する場合では、操作部を目視しなくても操作が受け付けられたかを認識することができるので、利便性を向上させることができる。また操作ボタンを操作する場合と比較すると、操作ボタンを操作する場合では、操作ボタンが隣接して設けられているので、押し間違いが発生するおそれが高いが、車載用音響装置１では、タッチパネル８上にユーザが手指などを接触させて所定の方向に移動させるという感覚的に異なる動作で、操作を行うことができるので、操作間違いを抑制することができる。
【００３４】
さらに、補助的ではあるが、運転者が目視可能な位置に設けられる発光部３における発光位置を変化させることによって、視線を大きく逸らす必要がなく、目視によってもユーザの操作が受け付けられるのか否かを認識することができる。発光部３は、補助的なものであり、本発明の実施の形態では車載用音響装置１から発光部３を除く構成のみを用いて、車載用音響装置を構成してもよい。
【００３５】
車載用音響装置１では、表示パネル９の表示面上にタッチパネル８を設けているが、タッチパネル８は表示パネル９の表示面上ではなく、運転者の操作し易い場所、たとえばハンドル、またはダッシュボードのうちハンドル近傍の位置などに設ける構成としてもよい。
【００３６】
本発明の実施のさらに他の形態では、前述した車載用音響装置１において、制御部７は、複数の前記スピーカＳＰから出力される音響情報の音像を移動させるときに、音源４からの音響情報とともに、この音源情報とは異なる音響情報であって、予め定める音響情報を、音源４からの音響情報の音像の移動に応じて変化させて出力する構成としてもよい。予め定める音響情報は、たとえば、単一音であってもよく、音楽であってもよい。予め定める音響情報についても、表１で示されるように、検出方向に応じて音像を移動させてスピーカＳＰから出力される。これによって、ユーザは、操作が受け付けられるのか否かをさらに容易に確認することができる。
【００３７】
本発明の実施のさらに他の形態では、前述した表１に示す検出方向と、実行処理との組合せは、操作者が選択することができる構成としてもよい。表示パネル９に検出方向と実行処理との組合せを、タッチパネル８によって指定可能に表示させ、タッチパネル８を操作することによって、検出方向と、実行処理との組合せを記憶部にテーブルとして記憶させる。これによって、ユーザの操作性を向上させることができる。
【００３８】
前述した各実施の形態において、制御部７は、スピーカＳＰから出力される音響情報の種類に応じて、発光部３の発光色を変化させる構成としてもよい。音響データは、音楽の種類を表すジャンル情報を含んでいる。ジャンル情報は、たとえば、ロック、Ｊ−ＰＯＰ、ヒップホップ、レゲエ、Ｒ＆Ｂ、ソウル、ジャズまたはクラシックなどを表す。音源４は、音響データのうち、前記ジャンル情報を制御部７に与える。制御部７の記憶部は、発光色記憶部であり、スピーカＳＰから出力される音響情報の前記ジャンル種類と、発光部３の発光色とを対応させた発光パターンテーブルを記憶している。表２は、発光パターンテーブルを示す。
【００３９】
【表２】
2010171553.tif 000004
【００４０】
発光部３は、赤、橙、黄、青、紫、緑および白色での発光が可能に設けられている。制御部７は、表２を参照して、音響データが出力されている間は、その音響データのジャンル情報に対応する発光色で発光するように、発光部３を制御する。音響情報のジャンル別に発光色を変えることによって、車両における音楽鑑賞のエンターテイメント性を向上させることができる。
【００４１】
また本発明の実施の形態では、前述した表２に示すジャンル情報と、発光色との組合せは、操作者が選択することができる構成としてもよい。表示パネル９にジャンルと実行処理との組合せを、タッチパネル８によって指定可能に表示させ、タッチパネル８を操作することによって、実行処理と発光色との組合せを記憶部にテーブルとして記憶させる。
【００４２】
表示パネル９に検出方向と発光色との組合せを、タッチパネル８によって指定可能に表示させ、タッチパネル８を操作することによって、検出方向と、実行処理との組合せを記憶部にテーブルとして記憶させる。これによって、ユーザの操作性を向上させることができる。
【符号の説明】
【００４３】
１  車載用音響装置
２  室内
３  発光部
４  音源
５  フェーダ回路
６  増幅器
７  制御部
８  タッチパネル
９  表示パネル
ＳＰ  スピーカ
【図１】
2010171553.tif 000005
【図２】
2010171553.tif 000006
【図３】
2010171553.tif 000007